(57)【特許請求の範囲】
【請求項１】
前縁部（１６；１６.１，１６.２）と後縁部（１７）とを備えた座面（２）と、前記後縁部（１７）に配置されていて前記座面（２）に対して角度を成して位置しているバックレスト（３）とを有し、前記座面（２）は１つの主部分（４）と少なくとも１つの前側部分（５；５.１，５.２）とに分割されていて、前記主部分（４）と前記前側部分（５；５.１，５.２）とは、機械式の調節装置を用いて相対的に可動であり、前記前縁部（１６；１６.１，１６.２）と前記後縁部（１７）との間における間隔（Ｄ；Ｄ１，Ｄ２）を動的に調節することができ、前記主部分（４）と前記少なくとも１つの前側部分（５；５.１，５.２）との間に、少なくとも２つの膨張可能な室（６，７；６.１，６.２，７.１，７.２）が配置されていて、該膨張可能な室（６，７；６.１，６.２，７.１，７.２）は、前記後縁部（１７）と前記前縁部（１６；１６.１，１６.２）の間隔（Ｄ；Ｄ１，Ｄ２）に相応して膨張可能および収縮可能である、乗物用シートであって、
前記少なくとも２つの膨張可能な室（６，７；６.１，６.２，７.１，７.２）はそれぞれ、弁と圧力センサとを有しており、かつ当該乗物用シートは、前記膨張可能な室の内部において設定圧力が存在するように前記弁を切り換える制御ユニットを有していることを特徴とする、乗物用シート。
【請求項２】
前記制御ユニットは、前記少なくとも２つの膨張可能な室（６，７；６.１，６.２，７.１，７.２）の膨張および収縮が前記機械式の調節装置の運動と調和して行われるように構成されている、請求項１記載の乗物用シート。
【請求項３】
前記制御ユニットは、前記少なくとも２つの膨張可能な室の弁が、前記前縁部と前記後縁部との間における間隔が増大して、各１つの設定間隔が得られた際に開放されるように構成されている、請求項１または２記載の乗物用シート。
【請求項４】
前記少なくとも２つの膨張可能な室（６，７；６.１，６.２，７.１，７.２）は、予め製造された目標折畳み箇所を備えた外壁を有している、請求項１から３までのいずれか１項記載の乗物用シート。
【請求項５】
当該乗物用シート（１）は、少なくとも１つのポンプ（１０）を有していて、該ポンプ（１０）は、前記少なくとも２つの膨張可能な室（６，７；６.１，６.２，７.１，７.２）に流体接続されている、請求項１から４までのいずれか１項記載の乗物用シート。
【請求項６】
前記ポンプ（１０）は、前記少なくとも２つの膨張可能な室（６，７；６.１，６.２，７.１，７.２）を膨張させることおよび収縮させることができるように構成されている、請求項５記載の乗物用シート。
【請求項７】
前記主部分（４）、前記少なくとも１つの前側部分（５；５.１，５.２）および前記少なくとも２つの膨張可能な室（６，７；６.１，６.２，７.１，７.２）の上に、繊維カバー（９）が配置されていて、該繊維カバー（９）は、前記座面（２）の下に配置された、特に引張りばねとして形成された引張り装置（１５）を用いて、引張り応力を受けた状態に保たれる、請求項１から６までのいずれか１項記載の乗物用シート。
【請求項８】
前記少なくとも２つの膨張可能な室（６，７；６.１，６.２，７.１，７.２）は、難燃性の織布によって覆われている、請求項１から７までのいずれか１項記載の乗物用シート。
【請求項９】
当該乗物用シート（１）は、２つの前側部分（５.１，５.２）と１つの主部分（４）とを有しており、前記２つの前側部分（５.１，５.２）の各１つと前記主部分（４）との間に、少なくとも２つの膨張可能な室（６.１，６.２，７.１，７.２）が配置されている、請求項１から８までのいずれか１項記載の乗物用シート。
【請求項１０】
当該乗物用シート（１）は、航空機用シートである、請求項１から９までのいずれか１項記載の乗物用シート。
【請求項１１】
特に請求項１から１０までのいずれか１項記載の乗物用シートの分割された座面の少なくとも１つの前側部分を、前記座面の主部分に対して調節する方法であって、以下に記載のステップ、すなわち、
ａ）機械式の調節装置によって前記少なくとも１つの前側部分を前記主部分に対して移動させるステップと、
ｂ）前記少なくとも１つの前側部分と前記主部分との間において膨張可能な少なくとも２つの室のうちの少なくとも１つを、特にポンプによって流体でもって、後縁部（１７）と前縁部（１６；１６.１，１６.２）の間隔（Ｄ；Ｄ１，Ｄ２）に相応して膨張させるステップと、を有する方法であって、
ｃ）前記少なくとも２つの膨張可能な室（６，７；６.１，６.２，７.１，７.２）の内部における圧力をそれぞれ、圧力センサによって測定し、制御ユニットが、前記膨張可能な室（６，７；６.１，６.２，７.１，７.２）に対応配置された弁を、常に、設定圧力が前記少なくとも２つの膨張可能な室（６，７；６.１，６.２，７.１，７.２）の内部において存在するように調節することを特徴とする、座面を調節する方法。
【発明の詳細な説明】
【技術分野】
【０００１】
本発明は、座面の前縁部と後縁部との間における間隔を動的に変化させることができる乗物用シートに関する。
【０００２】
従来の技術
乗物用シートの分野において、調節可能な座面、特に長さを動的に調節することができる座面が公知である。
【０００３】
例えば独国特許出願公開第１０２０１２００９５９１号明細書（ＤＥ１０２０１２００９５９１Ａ１）（GM Global Technology）に開示された乗物用シートでは、長手方向における座面の伸長は、エアベローズを膨張させることによって、一定の移動速度で変化させることができる。座面はシートの横方向において複数のシート分割エレメントに分割されていることができ、このとき少なくとも２つのエレメントの間には、各１つのエアベローズが配置されている。戻り移動は、特にばねである弾性エレメントによって行われる。エアベローズは、仕切り壁によって複数の部分空気室に分割されていてよく、これらの部分空気室は、好ましくは連通するように形成されている。移動方向をコントロールするために、少なくとも１つのガイドエレメントが乗物用シートに配置されている。
【０００４】
国際公開第０６／０６０８３３号（ＷＯ０６／０６０８３３Ａ１）（Greiner Purtec）には、シート、特に航空機用シート用のシートクッションが記載されている。シート奥行きが、容積を可変に形成された調節エレメントを用いて適合可能である。この構成では調節エレメントは、空気室内に形成されたフォーム材料エレメントとして形成されている。
【０００５】
国際公開第０４／０３０４９６号（ＷＯ０４／０３０４９６Ａ１）には、椅子の座面に取り付けることができる、空気力式に進出可能な装置が開示されている。この装置は、アコーディオン状に進出可能な空気力式の中空体を有しており、この中空体と一緒に、フロントプレートに固定されたガイド手段が進出可能である。ばねエレメントが、中空体内における圧力の増大に連れて伸長され、圧力消滅時に中空体を再び引き戻す。
【０００６】
公知の調節可能な座面における欠点は、戻し力に抗した移動が単に空気力式のエレメントによって行われることにあり、これによってこれらのエレメントは、比較的高い内圧を有するので、使用者にとっては不快に硬く感じられる。
【０００７】
さらに、座面の寸法を増大させるために、座面の複数部分を機械式の調節装置によって少なくとも一方向において移動可能であることが公知である。しかしながらこの場合には、これらの部分の調節によって、もはやクッション性を有しない中間室が形成されてしまうという欠点がある。これによってシート快適性が損なわれるおそれがある。
【０００８】
発明の開示
本発明の課題は、冒頭に述べた技術分野に属する乗物用シートを改良して、可能な限り単純な構造を有していて、良好な長さ調節可能性と同時に高いシート快適性とを可能にする乗物用シートを提供することである。
【０００９】
この課題の解決策は、請求項１の特徴によって定義されている。本発明によれば、乗物用シートは、前縁部と後縁部とを備えた座面と、後縁部に配置されていて座面に対して角度を成して位置しているバックレストとを有している。座面は１つの主部分と少なくとも１つの前側部分とに分割されている。主部分と前側部分とは、機械式の調節装置を用いて相対的に可動であり、これによって座面の前縁部と後縁部との間における間隔を動的に調節することができる。主部分と前側部分との間には、少なくとも２つの膨張可能な室が配置されていて、該膨張可能な室は、後縁部に対する前縁部の間隔に関連して膨張可能および収縮可能である。少なくとも２つの空気室はそれぞれ、弁および圧力センサを有している。本発明に係る乗物用シートは、さらに、膨張可能な室の内部において常に設定圧力が存在するように弁を切り換える制御ユニットを有している。
【００１０】
少なくとも２つの膨張可能な室によって、座面の主部分に対して前側部分を移動させた場合に、両方の部分の間に生じる間隙が満たされるので、座面に座っている使用者には、前縁部と後縁部との間における間隔とは無関係に、平らな座面が提供される。少なくとも２つの膨張可能な室は、従って膨張させられた状態において座面の１つの構成部分を形成している。膨張可能な室の内部において常に同じ設定圧力が維持されることによって、膨張可能な室は乗物用シートの使用者にとって常に同じ硬さに感じられ、このことは高いシート快適性を保証する。
【００１１】
膨張可能な室の内部において維持されることが望ましい同じ設定圧力は、好ましくは、例えば乗物用シートのメーカによって一定に予め設定されている。特に、この設定圧力は、制御ユニットのメモリ内に記憶されている。設定圧力は理想的には、少なくとも２つの膨張可能な室が乗物用シートの使用者にとって、主部分および少なくとも１つの前側部分のクッション性とほぼ同じ硬さに感じられるように選択されている。
【００１２】
択一的に、設定圧力が乗物用シートの使用者によって、特に確定された圧力範囲内において、変化可能であるようになっていてもよい。設定圧力は、特に好ましくは５ｋＰａ（５０ミリバール）である。
【００１３】
座面とバックレストとの間の角度は、好ましくは別の調節機構によって変化させることができる。これによって乗物用シートの種々異なった配置構成を実現することができる。当該分野の当業者には、座面とバックレストとの間の角度を調節するための多数の可能な調節機構が知られている。
【００１４】
好ましくは、機械式の調節装置は、主部分に対して前側部分を電気的に移動させることができる電動モータとスピンドルとを有している。このことは、座面の適宜な長さの調節時において、使用者の快適性を高める。択一的に、移動を、例えばガイドエレメントのような他の適宜な手段によってサポートすることも可能である。
【００１５】
少なくとも２つの膨張可能な室は、好ましくは空気力式のクッションとして形成されている。所望の最大調節長さに応じて、２つよりも多い膨張可能な室を、例えば３つ、４つ、５つまたはそれ以上の膨張可能な室を設けることも可能である。
【００１６】
本出願において、「膨張可能な室」というのは、フレキシブルな面状材料によって取り囲まれた内室であって、流体、特にガス、特に好ましくは空気によって満たすことができる内室のことである。面状材料は、好ましくは、膨張可能な室が最大充填容積の到達時に予め確定された形状を有するように成形されている。本発明による膨張可能な室では、この予め確定された形状は、好ましくは直方体である。
【００１７】
好ましくは、各膨張可能な室は少なくとも１つの供給管路に接続されており、この供給管路を介して流体を膨張可能な室内に流入または室から流出させることができる。この少なくとも１つの供給管路は、好ましくは少なくとも１つの弁ブロックに接続されていて、この弁ブロックを用いて少なくとも１つの供給管路を、ポンプまたは圧縮空気系に接続することができる。好ましくは、少なくとも１つの弁ブロックは複数の弁を有しており、これらの弁を介して、複数の供給管路を選択的に、少なくとも１つのポンプまたは圧縮空気系に接続することができる。弁ブロックを設けることによって、乗物用シートの構造の複雑さが低減される。少なくとも１つの供給管路は、好ましくは、膨張可能な室の外壁に位置するフランジを介して、膨張可能な室に接続される。乗物用シートに所属の複数の弁は、好ましくはただ１つの弁ブロックにまとめられている。これによって複数の弁は中央箇所に配置されており、これによってこれらの弁の保守および交換が大幅に簡単になる。さらに制御ユニットと弁との間において必要な配線も大幅に単純になる。
【００１８】
特に好ましくは、少なくとも２つの膨張可能な室は、その内室内に少なくとも１つのウェブを有しており、このウェブは、内室を取り囲む面状材料の形状を安定化させる。
【００１９】
当業者が認識するように、本発明は、前側部分と主部分との間にただ１つの膨張可能な室を備えた構成によってもしくは２つの膨張可能な室を備えた構成によっても実現することができる。従って択一的に好適な態様は、前側部分と主部分との間にただ１つの膨張可能な室しか有していない。
【００２０】
少なくとも２つの膨張可能な室は、好ましくは、各１つの側面を介して互いに機械式に結合されている。これらの側面は、好ましくは互いに接着される。択一的に、例えばシームのようなまたは例えばベルクロファスナのような付着ファスナのような他の結合形式も適している。座面の主部分もしくは前側部分に接触している膨張可能な室は、特に接着結合または付着ファスナ、特にベルクロファスナを介して、座面の主部分もしくは前側部分に機械式に結合されている。これによって、乗物用シートの使用者は快適な連続した座面を得ることができ、つまり膨張可能な室は、使用者にとって、あたかもそれが座面の一部を形成しているかのように感じられる。
【００２１】
少なくとも２つの膨張可能な室は、好ましくは少なくとも１つの前側部分の移動方向において相前後して配置されている。択一的に、少なくとも２つの膨張可能な室の間に、少なくとも１つの別の剛性の中間部分が配置されていてもよい。
【００２２】
少なくとも２つの膨張可能な室は、好ましくは前側部分の移動方向において順番に膨張もしくは収縮するので、他の膨張可能な室が膨張させられる前に、まず１つの膨張可能な室が完全に膨張させられる。好ましくは、座面が小さくなる場合における膨張可能な室の収縮は、膨張とは逆の順序で行われ、このとき別の膨張可能な室が収縮させられる前に、まず１つの膨張可能な室が完全に収縮させられる。
【００２３】
膨張可能な室は、好ましくはすべて同じ寸法を有している。しかしながらまた、択一的に、膨張可能な室は、互いに異なった寸法を有することも可能である。
【００２４】
膨張可能な室の収縮時に、膨張可能な室内に存在する流体は、好ましくは、例えばポンプによって完全に吸い出される。前縁部と後縁部との間の間隔が小さくなる場合に、少なくとも２つの膨張可能な室のために存在する、前側部分と主部分との間における容積が小さくなるので、少なくとも２つの室の内部における圧力は、上昇させられる。しかしながら制御装置が室の内部における圧力を一定に保つので、制御装置によって、室内に存在する流体は排出される。
【００２５】
これは例えば、ポンプを用いた排出によってまたは流出弁の開放によって行われ、このとき流体は、前側部分と主部分との間における容積の減少によって、少なくとも２つの膨張可能な室から押し出される。
【００２６】
「乗物」というのは本出願では、人を陸上、空中または水上において運ぶことができるすべての運搬手段を意味する。これは特に、自動車、バス、列車、航空機、ヘリコプター、ボートまたは船舶である。従って「乗物用シート」という概念は、このような乗物において使用するシートを意味する。
【００２７】
制御ユニットは、好ましくは、個々の膨張可能な室の膨張および収縮が調節装置の運動と共に調整されて行われるように構成されている。例えば、座面の前側部分を移送させる、電動モータによって駆動されるスピンドルが存在する場合には、個々の膨張可能な室の膨張および収縮は、スピンドルの回転速度または回転数と共に調整されて行われ、これによって座面に座っている使用者は、常に、ほぼ一様な座面を感じる。これは、使用者による乗物用シートの可能な限り快適な操作を可能にする。
【００２８】
制御ユニットは、好ましくはマイクロチップを有しており、このマイクロチップは、乗物用シートに取り付けられた、例えば操作可能なボタンまたはスイッチとして形成された操作ユニットを介して制御される。制御ユニットは、主部分に対して前側部分を移動させるために、相応に調節装置に対して作用する。例えば使用者は、例えば「通常の着座位置」、「リラックス」等のような予め確定された形態を選択することができる。
【００２９】
制御ユニットは、好ましくは、少なくとも２つの膨張可能な室の弁が、各１つの設定間隔を得る場合に、前縁部と後縁部との間において開放されるように構成されている。
【００３０】
これによって、本発明に係る乗物用シートの構成が簡単になる。それというのは、制御ユニットは単に、特殊な点検ポイントの到達を、つまり前縁部と後縁部との間の設定間隔を監視するだけでよいからである。このような間隔が得られると、この間隔に対応配置された膨張可能な室の弁が開放される。制御ユニットは、少なくとも２つの膨張可能な室における圧力を、設定圧力に合わせて一定に調節するので、少なくとも２つの膨張可能な室のサイズは、前側部分と主部分との間における成長する間隔に自動的に合わせられる。これは、間隔の増大によって少なくとも２つの膨張可能な室が少なくとも１つの前側部分と主部分との間におけるより大きな容積を利用できることに基づいて行われる。しかしながら膨張可能な室の容積が、流体による等しいままの充填時に高められると、膨張可能な室の内部における流体の圧力は低下する。このことは圧力センサによって記録され、このとき制御ユニットは所属の弁を、膨張可能な室の内部において再び設定圧が存在するまで、流体が膨張可能な室内に流入するように切り換える。
【００３１】
好ましくは、制御装置はさらに、該制御装置が、各１つの設定間隔の到達時に前縁部と後縁部との間における間隔が減少した場合に閉鎖されるように構成されている。少なくとも２つの膨張可能な室の内部における圧力が、常に設定圧力に保たれるので、制御装置は、少なくとも２つの膨張可能な室の弁を切り換え、これによって前縁部と後縁部との間における間隔の減少時に、少なくとも２つの膨張可能な室から流体が押し出される。
【００３２】
好ましくは、少なくとも２つの膨張可能な室は、予め製造された目標折畳み箇所を備えた外壁を有している。このように構成されていると、膨張可能な室の収縮時に整然とした折畳みが可能になるので、収縮した膨張可能な室は可能な限り小さなスペースしか有さない。これによってさらに、収縮した室の乱雑な折畳みによって、使用者にとって不快な折り目が座面に生じることも回避することができる。
【００３３】
好ましくは、乗物用シートは、少なくとも１つのポンプを有していて、該ポンプは、膨張可能な室のうちの少なくとも１つに流体接続されている。これによって、膨張可能な室の可能な限り簡単でかつ迅速な膨張が可能になる。
【００３４】
特に好ましくは、少なくとも２つの膨張可能な室のそれぞれが、固有の供給管路を介してポンプに接続されている。さらにポンプは、流体を設定圧力までしか圧縮できないように構成されている。これによって少なくとも２つの膨張可能な室の内部に、設定圧力よりも高い圧力が存在することは、あり得なくなる。
【００３５】
少なくとも１つのポンプは、好ましくは、該ポンプが膨張可能な室を膨張およびアクティブに収縮させるように、つまり膨張可能な室における流体を吸い出すように構成されている。
【００３６】
好ましくは主部分、前側部分および少なくとも２つの膨張可能な室の上には、繊維カバーが配置されており、この繊維カバーは、座面の下に配置された、特に引張りばねとして形成された引張り装置を用いて、引張り応力下に保たれる。これによって、使用者にとって視覚的に魅力的でかつ接触時に快適な、座面の一様な表面が得られる。引張り装置によって、前縁部と後縁部との間における間隔のその都度の調節時に、繊維カバーは緊張下にあり、不都合な折り目が形成されることはなくなる。択一的に、繊維カバーは、種々異なった間隔に対して自動的に適合する弾性的な繊維から成っていてもよい。
【００３７】
少なくとも２つの膨張可能な室は、好ましくは、難燃性の織布によって覆われている。これによって乗物用シートは、乗物構造において定められた安全基準、特に航空機用の安全基準を維持することができる。
【００３８】
特に好ましくは、乗物用シートは、２つの前側部分と１つの主部分とを有しており、２つの前側部分の各１つと前記主部分との間に、少なくとも２つの膨張可能な室が配置されている。
【００３９】
このように構成されていると、本発明に係る乗物用シートを、個々に調節可能なレッグレストを備えて構成することができる。このことは特に、本発明に係るシートをドライバ用シートまたはパイロット用シートとして使用する場合に好適である。それというのは、フロアに位置するペダルに楽に到達することができるように、使用者はレッグレストを個別に調節することができるからである。
【００４０】
特に好ましくは、乗物用シートは、航空機用シートである。特に重量を節減する単純な構造形式によって、本発明に係る乗物用シートは、航空機内部構造のために好適な特性を有している。
【００４１】
以下における詳細な説明およびすべての請求項における記載から、本発明のその他の好適な態様および特徴の組合せが得られる。
【００４２】
本出願はさらに、乗物用シートの分割された座面の少なくとも１つの前側部分を、主部分に対して調節する方法に関する。本発明に係る方法は、好ましくは、上に述べた乗物用シートによって実施される。
【００４３】
方法の第１のステップにおいて、機械式の調節装置によって少なくとも１つの前側部分を主部分に対して移動させる。次のステップにおいて、少なくとも１つの前側部分と主部分との間において配置された、膨張可能な少なくとも２つの室のうちの少なくとも１つを、前縁部と後縁部との間の間隔に関連して膨張させる。この膨張は、好ましくはポンプによって行われる。少なくとも２つの膨張可能な室の内部における圧力はそれぞれ、圧力センサによって測定され、このとき制御装置が、少なくとも２つの膨張可能な室に対応配置された弁を、常に、設定圧力が少なくとも２つの膨張可能な室の内部において存在するように切り換える。
【００４４】
次に図面を参照しながら本発明の実施形態を説明する。
【図面の簡単な説明】
【００４５】
【図１】本発明に係る乗物用シートの第１実施形態を概略的に示す側面図である。
【図２】膨張可能な室が膨張させられた状態における、図１に示した乗物用シートを概略的に示す側面図である。
【図３】図３ａおよび図３ｂは、本発明に係る乗物用シートの座面の異なった２つの状態を示す平面図である。
【図４】図４ａ、図４ｂおよび図４ｃは、本発明に係る乗物用シートの第２実施形態による座面の異なった３つの状態を示す平面図である。
【図５】図５ａおよび図５ｂは、２つの前側部分を備えた別の実施形態による座面の異なった２つの状態を示す平面図である。
【００４６】
基本的に、図面において同一部材には同一符号が付されている。
【００４７】
本発明の実施形態
図１には、本発明に係る乗物用シート１の第１実施形態が概略的な側面図で示されている。図面を簡略化するために、乗物用シート１の下部構造は示されていない。
【００４８】
乗物用シート１は、座面２とバックレスト３とを有している。バックレスト３は、座面２の後縁部１７に配置されていて、座面２に対して角度を成している。好ましくは、バックレスト３と座面２との間の角度は、機械装置（図示せず）によって変化させることができる。
【００４９】
座面２は、主部分４と前側部分５とを有している。前側部分５は、座面２の前縁部１６を有していて、この前縁部１６は、図示の実施形態では、乗物用シート１の使用者の快適性を改善するために丸く面取りされて形成されている。主部分４と前側部分５との間には、膨張可能な２つの室６，７が配置されている。図１には、両方の膨張可能な室６，７は、収縮状態で示されている。座面２は、前縁部１６と後縁部１７との間において可能な最小の間隔Ｄを有している。膨張可能な室６，７はそれぞれ、供給管路１２，１３を介してポンプ１０に接続されている。
【００５０】
座面２およびバックレスト３の上には、繊維カバー９が配置されている。この繊維カバー９は、座面２の前側部分５の下側において引張り装置１５に結合されており、この引張り装置１５は、前縁部１６と後縁部１７との間における如何なる間隔においても、繊維カバー９を座面２の上において緊張させる。引張り装置１５は、例えば引張りばねとして形成されていてよい。追加的に、繊維カバー９はバックレスト３の後側に固定されている。乗物用シートの構成に応じて、繊維カバー９は座面２および／またはバックレスト３の別の箇所に固定されていてもよい。
【００５１】
本発明に係る乗物用シートはさらに、機械式の調節装置を有しており、この調節装置を用いて、前縁部１６と後縁部１７との間の間隔を変化させることができる。機械式の調節装置は、スピンドル１８とスピンドル駆動装置１９とを有している。スピンドル駆動装置１９を用いたスピンドル１８の回転によって、前縁部１６と後縁部１７との間の間隔Ｄを変化させることができる。
【００５２】
図２には、図１に示した乗物用シートが概略的な側面図で示されており、このとき座面２の前縁部１６と後縁部１７との間の間隔Ｄは、スピンドル１８の回転によって増大されており、つまり座面２は、図１の図示に比べて長くなっている。
【００５３】
第１の膨張可能な室６および第２の膨張可能な室７は、完全に膨張させられた状態で示されている。両方の膨張可能な室６，７は、前縁部１６と後縁部１７との間の間隔に関連して選択的に膨張させられている。膨張は、好ましくはコントロールユニット（図示せず）を介して制御される。両方の膨張可能な室６，７の選択的な膨張は、主部分４と前側部分５との間において発生した間隙を満たすことができるので、使用者には連続した座面２が提供される。このときコントロールユニットは、膨張可能な室６，７の内部において、一定の設定圧力が維持されるように構成されている。これは、好ましくは、弁（図示せず）の相応の制御によって達成される。コントロールユニットはさらに、前縁部１６と後縁部１７との間における設定間隔が得られた場合に、個々の膨張可能な空気室６，７がポンプによって膨張させられるように構成されている。これは例えば、相応の弁が開放されて、ポンプ１０が相応の膨張可能な室６，７を流体によって膨張させることができることによって達成される。膨張可能な空気室６，７の内部における圧力を一定に保つことによって、膨張可能な空気室６，７は、前縁部１６と後縁部１７との間においてちょうど今存在する間隔に適合し、このとき前縁部１６および後縁部１７は、乗物用シート１に座っている使用者に対して常に等しい硬さの感触を与える。
【００５４】
図３ａ，３ｂには、前縁部１６と後縁部１７との間において異なった間隔Ｄを備えた、本発明に係る乗物用シート１の座面２が平面図で示されている。図３ａには、最小の間隔Ｄを備えた座面２が示されており、このとき膨張可能な室６，７は、完全に収縮されている。図３ｂには、前縁部１６と後縁部１７との間に最大の間隔Ｄを備えた座面２が示されており、このとき膨張可能な室６，７は、完全に膨張させられている。前縁部１６と後縁部１７との間における間隔Ｄが増大している様子が良く分かる。
【００５５】
図４ａ〜図４ｃには、本発明に係る乗物用シート１の第２実施形態の座面２が示されている。この実施形態では、両方の膨張可能な室６，７は異なったサイズを有している。第１の膨張可能な室６および／または第２の膨張可能な室７を選択的に膨張させることによって、座面２の主部分４と前側部分５との間における異なった間隙を橋渡しすることができ、このような間隙は、前縁部１６と後縁部１７との間における間隔Ｄの異なった調節に合わせて発生する。当業者にとっては分かることであるが、膨張可能な室６，７のサイズを変化させることの他に、膨張可能な室の数を変化させることも可能である。
【００５６】
図４ａに、完全に膨張させられた膨張可能な室６，７を備えた座面２が示されているのに対して、図４ｂには、第１の膨張可能な室６だけが膨張させられた場合の座面２が示されている。図４ｃには、第２の室７だけが完全に膨張させられた状態の座面２が示されている。
【００５７】
図５ａ，図５ｂには、本発明に係る乗物用シート１の別の実施形態の座面２が平面図で示されている。この実施形態では座面２は、１つの主部分４（４．１，４．２）と２つの前側部分５.１，５.２を有している。そして主部分４と両方の前側部分５.１，５.２との間には、各２つの膨張可能な室６.１，６.２，７.１，７.２が配置されている。相応に乗物用シート１は、２つの調節装置を有しており、これらの調節装置を用いて、両方の間隔Ｄ１，Ｄ２を個別に調節することができる。本発明に係る乗物用シート１のこの実施形態では、両方の前側部分５.１，５.２は、調節可能なレッグレストとして使用することができる。図５ｂに示すように、各前側部分のために、座面２の各前縁部１６.１，１６.２と後縁部１７との間に異なった間隔Ｄ１，Ｄ２を調節することができる。
【図１】
0006576436.tif 000002
【図２】
0006576436.tif 000003
【図３ａ】
0006576436.tif 000004
【図３ｂ】
0006576436.tif 000005
【図４ａ】
0006576436.tif 000006
【図４ｂ】
0006576436.tif 000007
【図４ｃ】
0006576436.tif 000008
【図５ａ】
0006576436.tif 000009
【図５ｂ】
0006576436.tif 000010